(57)【特許請求の範囲】
【請求項１】
記録紙を収容する複数の記録紙収容部と、
前記複数の記録紙収容部それぞれから記録紙を繰り出す、各記録紙収容部に対応する記録紙繰出手段と、
前記複数の記録紙収容部の中から選択された記録紙収容部から繰り出された記録紙上に画像を形成する画像形成部と、
前記複数の記録紙収容部のうちの所定の記録紙収容部から記録紙が繰り出された場合に該記録紙を所定の搬送経路に沿って前記画像形成部に搬送するとともに、前記複数の記録紙収容部のうちの前記所定の記録紙収容部以外の記録紙収容部から記録紙が繰り出された場合に該記録紙を前記搬送経路の途中で受け取って前記画像形成部に搬送する記録紙搬送手段とを具備し、
前記複数の記録紙収容部のうちの少なくとも１つの第１の記録紙収容部が、他の記録紙収容部よりも、前記搬送経路を搬送される際の搬送方向に交わる幅方向に関しサイズの小さい記録紙を収容するものであって、該第１の記録紙収容部が他の記録紙収容部よりも前記搬送経路の上流側に配置されてなるものであることと、
前記記録紙搬送手段が、前記搬送方向に並んだ複数の搬送ローラを具備し、それら複数の搬送ローラそれぞれが、前記幅方向に並んで配置された複数の個別ローラを具備するものであって、それら複数の個別ローラの該幅方向における配置は、前記搬送方向の上流側から下流側に向かって、互いに異なる配置種類が交互に入れ替わる配置となっていて、前記搬送経路の上流側に配置された搬送ローラは、下流側に配置された搬送ローラよりも、個別ローラの数が少なくかつ両端部の個別ローラ間の距離が短いものであることとを特徴とする画像形成装置。
【請求項２】
前記画像形成部が、前記複数の記録紙収容部よりも上部に配置されたものであり、前記第１の記録紙収容部が他の記録紙収容部よりも下部に配置されたものであることを特徴とする請求項１記載の画像形成装置。
【請求項３】
前記複数の記録紙収容部はそれぞれ各引出し式の筐体内に備えられたものであって、各記録紙収容部から記録紙を繰り出す各記録紙繰出手段、および前記搬送経路の各一部分が、該各記録紙収容部とともに各引出し式の筐体内に配置されてなることを特徴とする請求項１又は２記載の画像形成装置。
【請求項４】
前記各引出し式の筐体が、該筐体内に配置された前記搬送経路の各一部分を開閉自在に覆う搬送路ドアを備えたものであることを特徴とする請求項３記載の画像形成装置。
【請求項５】
前記複数の記録紙収容部のうちの第１の記録紙収容部を除く他の記録紙収容部の少なくとも１つはロール紙を収容する記録紙収容部であることを特徴とする請求項１から４記載のうちのいずれか１項記載の画像形成装置。
【発明の詳細な説明】
【０００１】
【発明の属する技術分野】
本発明は、電子写真方式の複写機やプリンタ等の画像形成装置に関し、特に複数のサイズの記録紙を収容して画像を形成する画像形成装置に関する。
【０００２】
【従来の技術】
従来より、電子写真方式の複写機やプリンタ等の画像形成装置において、記録内容に応じてユーザがその都度記録紙を交換するという作業を不要にするため、紙幅や紙質の異なる複数種類の記録紙を複数の記録紙収容部に収容しておき、それら複数の記録紙収容部の中から記録内容に応じてその都度最適な記録紙を選択して画像形成部に供給するということが行なわれている。例えば、特公平４−０２７１３８号公報には、各記録紙収容部を鉛直方向に多段に配設し、多段に配設された記録紙収容部からの記録紙を搬送するための、画像形成部に通じる鉛直な直線状部分を有する搬送経路を備えた画像形成装置が提案されている。また、特開平８−９１６４９号公報には、複数のロール紙を収容する複数の記録紙収容部を備えた画像形成装置が提案されている。さらに、特開平９−１５０９７５号公報には、ロール紙とカット紙を混在して収容することのできる画像形成装置が提案されている。
【０００３】
【発明が解決しようとする課題】
しかし、上述した画像形成装置では、いずれの記録紙収容部にも所望のサイズの記録紙を自在に収容できるものの、全ての記録紙収容部からの記録紙を搬送するための搬送経路および搬送手段は、搬送方向に交わる幅方向に関し最大のサイズの記録紙が搬送できるように構成されているため、装置内のスペース並びにコストに無駄があるという問題がある。特に、Ａ０サイズからＡ４サイズまでの記録紙を取り扱う図面用の電子複写機やプリンタでは、全ての記録紙収容部からの記録紙を搬送するための搬送経路および搬送手段は、最大のサイズであるＡ０サイズの記録紙が搬送できるように構成する必要があり、装置のスペース並びにコストに大きな無駄が生じる。
【０００４】
本発明は、上記事情に鑑み、省スペース化およびコストの低減化が図られた画像形成装置を提供することを目的とする。
【０００５】
【課題を解決するための手段】
上記目的を達成する本発明の画像形成装置は、
記録紙を収容する複数の記録紙収容部と、
上記複数の記録紙収容部それぞれから記録紙を繰り出す、各記録紙収容部に対応する記録紙繰出手段と、
上記複数の記録紙収容部の中から選択された記録紙収容部から繰り出された記録紙上に画像を形成する画像形成部と、
上記複数の記録紙収容部のうちの所定の記録紙収容部から記録紙が繰り出された場合にその記録紙を所定の搬送経路に沿って上記画像形成部に搬送するとともに、上記複数の記録紙収容部のうちの上記所定の記録紙収容部以外の記録紙収容部から記録紙が繰り出された場合にその記録紙を上記搬送経路の途中で受け取って上記画像形成部に搬送する記録紙搬送手段とを備えた画像形成装置において、上記複数の記録紙収容部のうちの少なくとも１つの第１の記録紙収容部が、他の記録紙収容部よりも、上記搬送経路を搬送される際の搬送方向に交わる幅方向に関しサイズの小さい記録紙を収容するものであって、その第１の記録紙収容部が他の記録紙収容部よりも上記搬送経路の上流側に配置されてなるものであることを特徴とする。
【０００６】
ここで、上記画像形成部が、上記複数の記録紙収容部よりも上部に配置されたものであり、上記第１の記録紙収容部が他の記録紙収容部よりも下部に配置されたものであることが好ましい。
【０００７】
また、上記複数の記録紙収容部はそれぞれ各引出し式の筐体内に備えられたものであって、各記録紙収容部から記録紙を繰り出す各記録紙繰出手段、および上記搬送経路の各一部分が、その各記録紙収容部とともに各引出し式の筐体内に配置されてなることも好ましい。
【０００８】
さらに、上記各引出し式の筐体が、その筐体内に配置された上記搬送経路の各一部分を開閉自在に覆う搬送路ドアを備えたものであることも好ましい態様である。
【０００９】
また、上記複数の記録紙収容部のうちの第１の記録紙収容部を除く他の記録紙収容部の少なくとも１つはロール紙を収容する記録紙収容部であってもよい。
【００１０】
【発明の実施の形態】
以下、本発明の実施形態について図面を参照して説明する。
【００１１】
図１は、本発明の第一実施形態の画像形成装置の概観斜視図である。
【００１２】
図１に示す画像形成装置１００には、記録紙上に画像を形成する画像形成部１が備えられている。この画像形成部１の下部には、３つの引出し式の筐体３，４，５が、上から順に配置されている。画像形成部１には、紙詰まりや用紙切れ等のメッセージを表示したり、あるいは必要な操作を行なったりするための操作表示部８が備えられている。筐体３，４には、Ａ３サイズ（幅２９７ｍｍ）からＡ０サイズ（幅８４１ｍｍ）までのロール紙が収容され、筐体５には、Ａ４縦サイズ（幅２１０ｍｍ）からＡ３横サイズ（幅４２０ｍｍ）までのカット紙が収容される。
【００１３】
筐体３，４には、ノブ３６ａ，４６ａを有する搬送路ドア３６，４６が備えられており、これらのノブ３６ａ，４６ａを操作して搬送路ドア３６，４６を開けることにより、紙詰まり等により内部に残留している記録紙を除去することができる。また筐体５には、この筐体５を引き出すためのノブ５６ａが設けられている。
【００１４】
図２は、図１に示す画像形成装置の、画像形成部直下の筐体が引き出された状態を示す断面図である。
【００１５】
図２に示す、画像形成装置１００本体から引き出された状態の筐体３にはロール紙３００を収容する記録紙収容部３０が備えられている。また筐体３の下部側面にはレール機構部１０が備えられており、筐体３はレール機構部１０によってロール紙３００の搬送方向（この図の右側）に引き出される構造となっている。また筐体４にはロール紙４００を収容する記録紙収容部４０が備えられており、さらに筐体５にはカット紙５００を収容する記録紙収容部５０（本発明にいう第１の記録紙収容部の一例）が備えられている。尚、筐体４，５も筐体３と同様に画像形成装置１００本体から引き出すことが可能であるが、ここでは図示省略する。また、やはり図示省略するが、筐体３の前面上部には、ロール紙ごとに紙質選択スイッチと用紙系列選択スイッチとが設置されており、ロール紙をセットした際に、ロール紙の紙質と使用するロール紙がいずれであるかが登録される。また筐体５の後方（この図では左側）には、この画像装置１００全体を制御する制御部９が備えられている。このように本実施形態では、画像形成部１が、記録紙収容部３０，４０，５０よりも上部に配置されたものであり、サイズ幅４２０ｍｍまでのカット紙５００を収容可能な記録紙収容部５０が、サイズ幅８４１ｍｍまでのロール紙３００，４００を収容可能な記録紙収容部３０，４０よりも下部に配置されている。
【００１６】
図３は、図１に示す画像形成装置の、記録紙が搬送される搬送経路の概略を示した断面図である。
【００１７】
図３には、記録紙収容部３０，４０，５０のうちの所定の記録紙収容部から記録紙が繰り出された場合にその記録紙を画像形成部１の像形成位置に搬送するための搬送経路１１が示されている。この搬送経路１１は、各記録紙収容部３０，４０，５０に対応する部分１１ａ，１１ｂ，１１ｃと、画像形成部１内における像転写位置までの部分１１ｄに分割される。
【００１８】
また、画像形成装置１００には、３つの記録紙収容部３０，４０，５０のうちの所定の記録紙収容部から記録紙が繰り出された場合にその記録紙を搬送経路１１に沿って画像形成部１に搬送するとともに、３つの記録紙収容部３０，４０，５０のうちの所定の記録紙収容部以外の記録紙収容部から記録紙が繰り出された場合にその記録紙を搬送経路１１の途中で受け取って画像形成部１に搬送する搬送ローラ３４＿１，３４＿２，４４＿１，４４＿２，５４（本発明にいう記録紙搬送手段の一例）が備えられている。画像形成部１は、３つの記録紙収容部３０，４０，５０の中から選択された記録紙収容部から繰り出された記録紙上に、後述するようにして画像を形成する。
【００１９】
さらに、画像形成装置１００には、記録紙収容部３０，４０，５０からロール紙３００，４００，カット紙５００を繰り出す、各記録紙収容部３０，４０，５０に対応する各送り出しローラ３１，４１，５１（それぞれが本発明にいう記録紙繰出手段の一例）が備えられている。
【００２０】
筐体３内では、ロール紙３００の、送り出しローラ３１によって送り出された先頭部分が、副搬送経路３２上に配置されたロータリーカッタ３３で切断され記録紙として搬送ローラ３４＿１により、搬送経路１１の部分１１ａ内に供給される。また、筐体４内では、ロール紙４００の、送り出しローラ４１によって送り出された先頭部分が、副搬送経路４２上に配置されたロータリーカッタ４３で切断され記録紙として搬送ローラ４４＿１を介して、搬送経路１１の部分１１ｂ内に供給される。さらに、筐体５内では、積載されたカット紙５００が搬送ローラ５４を介して１枚づつ搬送経路１１の部分１１ｃ内に供給される。
【００２１】
これら搬送経路１１の部分１１ａ，１１ｂ，１１ｃ内に供給された記録紙は、搬送ローラ３４＿１，３４＿２，４４＿１，４４＿２により、搬送経路１１の部分１１ｄに供給される。尚、画像形成部１の、図３に示す右側面には、手差し給紙部６が設けられており、カット紙を手差し供給することにより搬送経路１１の部分１１ｄに供給することも可能である。
【００２２】
搬送経路１１の部分１１ｄに供給された記録紙は、搬送ローラ１２によって下流へ搬送され、レジストローラ１３を経て感光体ドラム１４へ至る。この感光体ドラム１４の周囲には、帯電器１５と、現像器１６と、転写前コロトロン１７と、転写コロトロン１８と、クリ−ナ１９とが備えられている。帯電器１５によって感光体ドラム１４の表面が所定の電圧に一様に帯電され、次いで感光体ドラム１４の表面に、図示しない露光手段により画像に対応した露光が行なわれて静電潜像が形成される。感光体ドラム１４の表面に形成された静電潜像は、現像器１６によってトナ−が現像され、顕像化される。感光体ドラム１４上に形成されたトナ−像は、必要に応じて転写前コロトロン１７によって帯電を受け、次いで転写コロトロン１８の放電により記録紙上に転写される。トナー画像が転写された記録紙は、バキューム搬送部２０によって定着器２１へ導かれて定着が行なわれる。定着が終了した記録紙は排出ローラ２２によって記録紙排出口７から排出される。
【００２３】
一方、トナ−像の転写および記録紙への転写工程が終了した感光体ドラム１４の表面は、クリ−ナ１９によって残留トナ−が清掃されて、次の画像形成工程に備えられる。
【００２４】
また、本実施形態の画像形成装置１００には、前述したように、各筐体３，４内に配置された搬送経路１１の部分１１ａ，１１ｂを開閉自在に覆う搬送路ドア３６，４６が備えられており、記録紙が部分１１ａと部分１１ｂ間に跨がった状態で紙詰まりを起こした際に、搬送路ドア３６，４６を開けることにより記録紙を容易に除去することができる。
【００２５】
図４は、図３に示す筐体の断面を拡大して示す図である。
【００２６】
図４に示す筐体３に備えられた記録紙収容部３０には、前述したようにＡ３サイズ（幅２９７ｍｍ）からＡ０サイズ（幅８４１ｍｍ）までのロール紙３００を収容することが可能であり、ロール紙３００は、送り出しローラ３１によって一定速度Ｖ（ｍｍ／ｓｅｃ）で図４の右上方向に送り出される。尚、送り出しローラ３１には、ロール紙３００の、切断動作後における先頭部分を、上記の方向とは逆方向へ巻き戻す働きもある。
【００２７】
送り出しローラ３１の下流には、ロール紙３００の幅を検知するための反射型フォトセンサ３７＿１がこの紙面の垂直方向に複数設けられている。イニシャライズ動作では、ロール紙３００から引き出された部分は送り出しローラ３１によってフォトセンサ３７＿１の検知位置まで送り出されてサイズが検知された後、その先端位置が、フォトセンサ３７＿１下流に設けられたロータリーカッタ３３直前にまで達した時点で待機状態となる。
【００２８】
ここで、ロール紙３００が送り出しローラ３１によって送り出され、次いでロータリーカッタ３３が、原稿の長さ情報に応答したカット動作信号を受信する。すると、ロータリーカッタ３３の回転刃３３ａが回転し、その刃先３３ｂが固定刃３３ｃと連続的に擦り合わせられてロール紙３００が所定の長さに切断される。尚、ロータリーカッタ３３による切断中もロール紙３００は搬送され続けるため、切断部が搬送方向に対して垂直となるように、ロータリーカッタ３３はロール紙３００の搬送方向に対して斜めに取り付けられている。ロータリーカッタ３３の下流には、搬送ローラ３４＿１およびロール紙３００の先端を検知する反射型フォトセンサ３７＿２が設けられている。また、搬送ローラ３４＿２の下流には、記録紙収容部４０，５０からのロール紙４００、カット紙５００を検知するためのフォトセンサ３８が備えられている。
【００２９】
尚、搬送経路の部分１１ａは、搬送路ドア３６で開閉自在に覆われる。図４には、閉じた状態の搬送路ドア３６が実線で、また開いた状態の搬送路ドア３６が一点鎖線で示されている。
【００３０】
次に、搬送経路１１の部分１１ａにおける紙詰まり処置について説明する。
【００３１】
給紙時に紙詰まり判定がなされると、フォトセンサ３７＿２，３８の設置位置、搬送経路１１の部分１１ａの位置、搬送ローラ３４＿１，３４＿２による記録紙ニップ位置までの距離は既知なので、図示しない搬送量算出部によって算出された記録紙搬送量に基づいて記録紙先端位置を判定し、この判定結果に基づいて搬送経路１１の部分１１ａのどの位置で記録紙が滞留しているかが検知される。これにより、紙詰まりが発生した旨、および搬送路ドア３６を開いて残留記録紙の除去を促すためのメッセージが、操作表示部８（図１参照）に表示される。操作者は、操作表示部８に表示されたメッセージに応じて、搬送路ドア３６を開き残留記録紙を除去する。尚、搬送経路１１の部分１１ｂにおける紙詰まり処置も、この搬送経路１１の部分１１ａにおける紙詰まり処置と同様である。
【００３２】
図５は、図３に示す画像形成装置の搬送経路を示す図である。
【００３３】
図５には、筐体３，４の搬送路ドア３６，４６が取り除かれた状態が示されているとともに、筐体５の一部が断面で示されている。筐体３，４には、搬送経路１１の部分１１ａ，１１ｂをなすバッフル３９，４９が備えられている。また、この図５には、バッフル３９から覗いた搬送ローラ３４＿１，３４＿２、およびバッフル４９から覗いた搬送ローラ４４＿１，４４＿２が示されている。本実施形態では、３つの筐体３，４，５の記録紙収容部３０，４０，５０（図３参照）のうちの記録紙収容部５０が、他の記録紙収容部３０，４０よりも、搬送経路１１を搬送される際の搬送方向に交わる幅方向に関しサイズの小さい記録紙を収容するものであって、その記録紙収容部５０が他の記録紙収容部３０，４０よりも搬送経路１１の上流側に配置されている。
【００３４】
ここで、筐体５の記録紙収容部５０から給紙されたカット紙５００は、搬送ローラ４４＿２，４４＿１，３４＿２，３４＿１の順に搬送され、筐体３の上部に配置された画像形成部１に給紙される。搬送ローラ４４＿２は、記録紙収容部５０から給紙される最大サイズであるＡ３横サイズ（幅４２０ｍｍ）のカット紙５００を搬送することができれば良いため、３個の搬送ローラ４４＿２で済む。
【００３５】
また、筐体４の記録紙収容部４０から給紙された記録紙は、搬送ローラ４４＿１，３４＿２，３４＿１の順に搬送され、画像形成部１に給紙される。記録紙収容部４０からは、Ａ０サイズ（幅８４１ｍｍ）の記録紙が給紙されるため、搬送経路１１の幅方向全体に均一な搬送力を得るローラ配置が必要となる。しかし本実施形態では、搬送ローラ３４＿２がその作用を補うため、搬送ローラ４４＿１の、搬送経路１１の幅方向に配列される数は５個で済む。
【００３６】
さらに、筐体３の記録紙収容部３０からは、Ａ０サイズ（幅８４１ｍｍ）の記録紙が給紙される。このため、搬送経路１１の幅方向に広く均一な搬送力を得るローラ配置が必要となる。上流の記録紙収容部４０からのＡ０サイズの記録紙の給紙に対応するため、搬送ローラ３４＿２，３４＿１は、前述した他の搬送ローラ４４＿２，４４＿１と比較し、搬送経路１１の幅方向に対して広い範囲にわたって配置されている。
【００３７】
尚、搬送ローラ４４＿２，４４＿１，３４＿２，３４＿１の、搬送方向への配置間隔は、記録紙収容部５０から給紙されるカット紙の最小長さよりも短く配置されている。ここで、記録紙収容部５０から供給される幅の狭いカット紙を曲がりなく搬送するために、搬送ローラ４４＿２，４４＿１，３４＿２，３４＿１個々のローラのニップ圧力は、中央部が端部より強くなるように構成されている。
【００３８】
また、搬送ローラ４４＿２，４４＿１，３４＿２，３４＿１個々のローラの幅方向配置は、搬送方向の上流側から下流側に向かって、互いに異なる配置種類(ここでは２種類)が交互に入れ替わる配置となっていて、このため安定した搬送が得られる。さらに、搬送ローラ４４＿２，４４＿１，３４＿２，３４＿１個々のローラの個数は下流側に向かうほど数が多く略扇型に配置されているため、同一記録紙に対して下流側ほど搬送力が強くなるように作用する。
【００３９】
このように、搬送ローラ４４＿２，４４＿１は、搬送ローラ３４＿２，３４＿１よりローラ全長が短いため、簡素な構成で済みコストの低減化が図られる。またローラ全長が短いことで、記録紙の振れの精度向上も図られる。筐体５の両脇の空間には、スペースを有効に使うため、底フレーム９２に取り付けられた電源９１＿１，９１＿２が配備されており、従って装置全体の小型化が図られる。
【００４０】
本実施形態では、搬送経路１１を成すバッフル３９，４９は同一幅で形成されているが、狭い幅のバッフル４９を用いてもよく、その場合材料は更に少なくなるため、一層コストの低減化が図られることとなる。また、多様な記録紙幅に対応するために、各記録収容部が多段に配置された場合であっても、記録紙の曲がりや送りしわ等の発生は極めて少なく安定して記録紙を搬送することができる。
【００４１】
図６は、本発明の第二実施形態の画像形成装置の概観斜視図である。
【００４２】
図６に示す画像形成装置２００には、前述した画像形成部１と、３つの引出し式の筐体２０３，２０４，２０５が備えられている。各筐体２０３，２０４，２０５には、各カット紙５３０，５４０，５５０を収容する記録紙収容部２３０，２４０，２５０が備えられている。
【００４３】
記録紙収容部２３０に収容されるカット紙５３０のサイズは、Ａ４縦（幅２１０ｍｍ）からＡ１横（幅８４１ｍｍ）までである。また、記録紙収容部２４０に収容されるカット紙５４０のサイズは、Ａ４縦（幅２１０ｍｍ）からＡ２横（幅５９４ｍｍ）までである。さらに、記録紙収容部２５０に収容されるカット紙５５０のサイズはＡ４縦（幅２１０ｍｍ）からＡ３横（幅４２０ｍｍ）までである。尚、図６に示す搬送経路２１１の構成は、前述した第一実施形態の画像形成装置１００の搬送経路１１の構成と同様である。また、筐体２０４，２０５の後方（この図では左側）に、この画像形成装置２００全体を制御する制御部２０９が配置されている。
【００４４】
このように、画像形成部１の下部に、下から小さい順に、サイズ幅４２０ｍｍまでのカット紙５５０を収容可能な記録紙収容部２５０，サイズ幅５９４ｍｍまでのカット紙５４０を収容可能な記録紙収容部２４０，サイズ幅８４１ｍｍまでのカット紙５３０を収容可能な記録紙収容部２３０を配置して、搬送経路２１１における搬送ローラ等を簡素に構成してコストの低減化を図るとともに装置の省スペース化を図ってもよい。
【００４５】
【発明の効果】
以上説明したように、本発明によれば、多様な記録紙幅に対応する電子複写機やプリンタをより安価でコンパクトな形で供給することができる。
【図面の簡単な説明】
【図１】本発明の第一実施形態の画像形成装置の概観斜視図である。
【図２】図１に示す画像形成装置の、画像形成部直下の筐体が引き出された状態を示す断面図である。
【図３】図１に示す画像形成装置の、記録紙が搬送される搬送経路の概略を示した断面図である。
【図４】図３に示す筐体の断面を拡大して示す図である。
【図５】図３に示す画像形成装置の搬送経路を示す図である。
【図６】本発明の第二実施形態の画像形成装置の概観斜視図である。
【符号の説明】
１  画像形成部
３，４，５，２０３，２０４，２０５  筐体
６  手差し給紙部
７  記録紙排出口
８  操作表示部
９，２０９  制御部
１０  レール機構部
１１，２１１  搬送経路
１１ａ，１１ｂ，１１ｃ，１１ｄ  搬送経路の各部分
１２，３４＿１．３４＿２，４４＿１，４４＿２，５４  搬送ローラ
１３  レジストローラ
１４  感光体ドラム
１５  帯電器
１６  現像器
１７  転写前コロトロン
１８  転写コロトロン
１９  クリーナ
２０  バキューム搬送部
２１  定着器
２２  排出ローラ
３０，４０，５０，２３０，２４０，２５０  記録紙収容部
３１，４１，５１  送り出しローラ
３２，４２  副搬送経路
３３，４３  ロータリーカッタ
３３ａ  回転刃
３３ｂ  刃先
３３ｃ  固定刃
３６，４６  搬送路ドア
３６ａ，４６ａ，５６ａ  ノブ
３７＿１，３７＿２，３８  フォトセンサ
３９，４９  バッフル
９１＿１，９１＿２  電源
９２  底フレーム
１００，２００  画像形成装置
３００，４００  ロール紙
５００，５３０，５４０，５５０  カット紙
【図１】
0003945071.tif 000002
【図２】
0003945071.tif 000003
【図３】
0003945071.tif 000004
【図４】
0003945071.tif 000005
【図５】
0003945071.tif 000006
【図６】
0003945071.tif 000007